(57)【要約】除細動器(defibrillator)と共に使用するパドル(paddle)であり、このパドルはパッド部に取り付けられるアプリケータの形式である。このアプリケータは、フレキシブルプレート、このフレキシブルプレートの上部に取り付けられるハンドル及びこのフレキシブルプレートの底に置かれるアプリケータコネクタを含む。前記パッド部は、前記アプリケータに電気的に接続され、フレキシブルプレートにより形成されるフレキシブルバッキング、アプリケータコネクタへの接続を形成する前記フレキシブルバッキングに依存するパッド部コネクタ、フレキシブルバッキングに取り付けられる蓋及びフレキシブルバッキングの下部に取り付けられ、前記蓋により脱着可能でケース封じされる粘着性導電媒体を含む。電気接触部は、前記蓋の上に置かれ、前記パッド部と電気的に接続され、前記導電媒体が前記蓋により脱着可能でケース封じされる間、曝される。
2005508672.tif 000002
【特許請求の範囲】
【請求項１】
除細動器と共に使用するためのパドルにおいて、
−アプリケータ、
−前記アプリケータに電気的に接続されるパッド部であり、前記パッド部内に脱着可能にケース封じされる前記導電媒体を有する前記パッド部、及び
−前記アプリケータ及び前記パッド部の一方に電気的に接続される電気接触部であり、前記電気接触部は、前記導電媒体が前記パッド部内にケース封じされる間、曝される電気接触部、
を有するパドル。
【請求項２】
請求項１に記載のパドルにおいて、前記アプリケータは、前記パッド部を患者の湾曲に合わせるためのプレートを有するパドル。
【請求項３】
請求項２に記載のパドルにおいて、前記プレートは、前記患者の湾曲に対し曲がる部分を有するパドル。
【請求項４】
請求項２に記載のパドルにおいて、前記プレートはフレキシブルであるパドル。
【請求項５】
請求項１に記載のパドルにおいて、前記パッド部は更に、前記導電媒体が取り付けられるバッキングと、前記導電媒体を脱着可能でケース封じし、前記電気接触が取り付けられる蓋とを有するパドル。
【請求項６】
請求項５に記載のパドルにおいて、前記アプリケータは更に、前記バッキングが取り付けられ、前記バッキング及び前記導電媒体を患者の湾曲に合わせるためのプレートを有するパドル。
【請求項７】
請求項５に記載のパドルにおいて、前記導電媒体は更に、粘着層及び前記粘着層と前記バッキングとの間に置かれるコネクタを有するパドル。
【請求項８】
請求項７に記載のパドルにおいて、前記電気接触部は、前記導電媒体を介して前記アプリケータに信号を送るパドル。
【請求項９】
請求項１に記載のパドルにおいて、前記電気接触部は、前記アプリケータの側面に取り付けられるパドル。
【請求項１０】
請求項９に記載のパドルにおいて、前記アプリケータは更に、ハンドルを有し、前記側面は、前記パッド部及び前記ハンドルに隣接するパドル。
【請求項１１】
請求項９に記載のパドルにおいて、前記パッド部は前記側面に取り付けられるパドル。
【請求項１２】
請求項９に記載のパドルにおいて、前記パッド部は前記導電媒体を脱着可能でケース封じするためのバッグを有するパドル。
【請求項１３】
請求項９に記載のパドルにおいて、前記パッド部は前記側面には取り付けられないパドル。
【請求項１４】
請求項１３に記載のパドルにおいて、前記アプリケータは更に、
−ハンドル、
−前記パッド部とは反対側にある下部、及び
−前記下部に隣接する前面部、
を有し、前記電気接触部が取り付けられる前記側面は前面を有するパドル。
【請求項１５】
除細動器と共に使用するパドルを形成するための粘着パッドと共に使用するアプリケータは、
−下部、及び
−患者と主基体と前記除細動器との間の一次電気パスに沿って前記主基体を前記粘着パッドに電気的且つ機械的に取り付けるために前記下部にあるコネクタ、
を有する前記主基体と、
前記主基体に取り付けられるハンドルと、
前記患者と前記主基体と前記除細動器との間に二次電気パスを形成するために前記主基体に取り付けられる電気接触部と、
を有するアプリケータ。
【請求項１６】
請求項１５に記載のアプリケータにおいて、前記電気接触部は、前記下部の前記コネクタに隣接して置かれるアプリケータ。
【請求項１７】
請求項１５に記載のアプリケータにおいて、前記電気接触部は、前記下部には置かれないアプリケータ。
【請求項１８】
請求項１７に記載のアプリケータにおいて、前記電気接触部は、前記下部に隣接する側に置かれないアプリケータ。
【請求項１９】
請求項１８に記載のアプリケータにおいて、前記ハンドルは、前記下部に隣接する前記主基体のほぼ前面において前記主基体に取り付けられ、前記電気接触部は前記前面に置かれるアプリケータ。
【請求項２０】
除細動器と共に使用するパドルを形成するためのアプリケータと共に使用するパッド部は、
−上部及び下部を持つバッキング、
−前記アプリケータと機械的且つ電気的な接続を形成するために前記上部に取り付けられるコネクタ、
−前記下部に取り付けられる導電媒体、
−前記導電媒体をケース封じするための蓋、及び
−前記導電媒体が前記蓋によりケース封じされるとき、前記アプリケータを介して患者と前記除細動器との間に電気パスを設けるために、前記蓋の外側に置かれる電気接触部、
を有するパッド部。
【請求項２１】
請求項２０に記載のパッド部において、前記導電媒体は、粘着層及び前記バッキングと前記粘着層との間に置かれる導体を有するパッド部。
【請求項２２】
請求項２１に記載のパッド部において、前記バッキングは、前記患者の湾曲に合わせるようにフレキシブルであるパッド部。
【請求項２３】
除細動器と共に使用するパドルにおいて、
−上部と患者の湾曲に合わされた下部とを持つプレート、
−フレキシブルプレートの上部に取り付けられるハンドル、及び
−前記フレキシブルプレートの下部に置かれるアプリケータコネクタ、
を有するアプリケータ、
−前記プレートにより形成されるフレキシブルバッキング、
−前記アプリケータコネクタに対し電気的且つ機械的な接続を形成するために、前記フレキシブルバッキングの上部に置かれるパッド部コネクタ、
−前記フレキシブルバッキングに取り付けられる蓋、及び
−粘着層と前記フレキシブルバッキングの前記下部との間に置かれるフレキシブル導体を有する、前記フレキシブルバッキングの前記下部に取り付けられ、前記蓋により脱着可能でケース封じされる粘着性導電媒体、
を有する前記アプリケータに電気的に接続されるパッド部、並びに
前記パッド部に電気的に接続される前記蓋に置かれる電気接触部であり、前記電気接触部は、前記粘着性導電媒体を介して前記アプリケータに信号を送るように、前記粘着性導電媒体が前記パッド部においてケース封じされる間、曝される電気接触部、
を有するパドル。
【請求項２４】
除細動器と共に使用するパドルにおいて、
−上部と患者の湾曲に合わせる下部とを持つプレート、
−前記プレートの前記上部に取り付けられるハンドル、及び
−前記プレートの前記下部に置かれるアプリケータコネクタ、
を有するアプリケータ、
前記プレートにより形成されるフレキシブルバッキングを有する、前記アプリケータに電気的に接続されるパッド部、
前記アプリケータコネクタに対し電気的且つ機械的な接続を形成するために、前記フレキシブルバッキングの上部に置かれるパッド部コネクタ、
粘着層と前記フレキシブルバッキングの下部との間に置かれるフレキシブルコンダクタを有し、バッグによりケース封じされるように成型される、前記フレキシブルバッキングの下部に取り付けられる粘着性導電媒体、及び
前記パッド部が前記アプリケータに接続されない間、前記除細動器と前記アプリケータとの間に前記追加の電気パスを形成するように、前記アプリケータコネクタに隣接する前記プレートに置かれない電気接触部、
を有するパドル。
【請求項２５】
除細動器と共に使用するパドルにおいて、
−上部と患者の湾曲に合わせる下部とを持つプレート、
−前記プレートの上部に取り付けられるハンドル、及び
−前記プレートの下部に置かれるアプリケータコネクタ、
を有するアプリケータと、
−前記アプリケータコネクタに対し電気的且つ機械的な接続を形成するために、前記フレキシブルバッキングの上部に置かれるパッド部コネクタ、
−前記粘着層と前記フレキシブルバッキングの下部との間に置かれるフレキシブル導体を有する、前記フレキシブルバッキングの下部に取り付けられる粘着性導電媒体、及び
−粘着性導電媒体を脱着可能でケース封じする層、
を有する、前記アプリケータに電気的に接続されるパッド部と、
前記粘着性導電媒体が前記層によりケース封じされる間、前記除細動器と前記アプリケータとの間に追加の電気パスを形成するために、前記ハンドルに隣接する前記プレートに置かれる電気接触部と、
を有するパドル。
【請求項２６】
除細動器と共にパドルを使用する方法において、
−前記パドルを形成するために、アプリケータに、蓋によりケース封じされる導電媒体を持つパッド部を取り付けるステップ、
−前記蓋又は前記アプリケータ上に置かれる電気接触部及び追加の電極を用いて、前記除細動器と患者との間に電気パスを形成することにより前記患者の状態を判定するステップ、及び
−前記パドル及び前記追加の電極を用いて、前記除細動器と前記患者との間に他の電気パスを形成するように、前記患者に前記パドルを接続するために前記蓋を取り除くステップ、
を有する方法。
【請求項２７】
請求項２６に記載の方法において、前記電気接触部は、前記蓋の上に置かれる方法。
【請求項２８】
請求項２６に記載の方法において、前記電気接触部は、前記アプリケータに置かれる方法。
【請求項２９】
請求項２６に記載の方法において、前記患者の状態を判定することは、前記蓋によりケース封じされる間に電気パスを形成することを有する方法。
【請求項３０】
請求項２６に記載の方法において、前記蓋は、前記導電媒体をケース封じするバッグを有する方法。
【請求項３１】
請求項３０に記載の方法において、前記蓋を取り除くことは、前記パッド部を前記アプリケータに取り付ける前である方法。
【請求項３２】
請求項２６に記載の方法において、前記蓋を取り除いた後に、前記アプリケータから前記パッド部を取り除くことを更に有する方法。
【請求項３３】
請求項２６に記載の方法において、前記蓋を取り除いた後、前記導電媒体の粘着層を用いて、前記患者に前記パドルを付着させるステップを更に有する方法。
【請求項３４】
請求項３３に記載の方法において、前記パドルを付着させた後、前記アプリケータから前記パッド部を取り除くステップを更に有する方法。
【発明の詳細な説明】
【０００１】
【発明の属する技術分野】
一般的に、除細動治療は、心臓細動を患う（すなわち、心臓が潜在的に致命的な不整脈を患う）患者を治療するのに用いられる処理である。除細動の処理は、患者の胸部に電極を置くこと、及び除細動のショック(defibrillation shock)を与えることを含む。この除細動のショックは、心臓を刺激し、細動を治すために、患者のむき出しの胸部に与えられる心筋への短時間の二相性の電気パルスである。電極は通常、陽極と陰極とを有し、使い捨て(single-use)パッド又は再利用パドルの形態である。これら使い捨てパッドは、患者に付着するために粘着性があり、ハンズフリーである。対照的に、これらパドルは患者に付着しないので、ハンズフリーではない。
【０００２】
除細動を提供することに加え、心臓の除細動器はしばしば介護者にモニタリング及び追加の治療の機能を提供する。一般的に、モニタリング機能は、患者により発生される信号を記録するような除細動器の受動的使用を含んでいる。それとは対照的に、治療の機能は、電気又は他の信号を患者に注入することを含んでいる。除細動器にしばしば含まれるモニタリング機能は、心電計(ECG: electrocardiograph)モニタリングである。除細動器にしばしば含まれる治療の機能は、除細動、外部の心臓ペーシング及びペーシングのある又は無い電気的除細動を含む。ＥＣＧモニタリング、ペーシング、ペーシング機能を含む電気的除細動、又はショックが与えられるときを除細動器が示す除細動を行うために、拡張される電気接触部が患者に施される必要がある。この拡張される接触は、使い捨てパッド又はこれが可能な程度の再利用パドルを用いて供給される。その上、拡張される接触がしばしば、他の治療及びモニタリングの機能にとって更に実用的である。
【０００３】
【従来の技術】
図１は、粘着性の使い捨てパッド１０を用いた除細動及びモニタリングシステムを示す。除細動器１は、パッド１０に事前に接続される対応するリードによってこれらパッド１０に接続され、これらパッド１０は次いで、既定位置にいる患者の胸部に置かれる。除細動を行うために、１つのパッド１０にとって好ましい位置は、患者の胸部の右上の胸骨の縁に置かれることであり、これの一端は鎖骨の近くであり、他端は右の乳首の真上である。他のパッド１０は、患者の左側に置かれ、左の乳首の下で、左の腋窩線(midaxillary line)を横断して後ろから前へ包まれる。このようにして、これらパッド１０は、心筋に流れる電流を最小にするように置かれる。
【０００４】
パッド１０は、保護ポリマーバッキングとパッド１０を患者に付着させるのに使用される導電性ヒドロゲル接着剤との間に挟まれるフレキシブルな金属導体プレートから一般的に構成される。パッド１０は、対応するリードを除細動器１に接続するために、鋳型形成されるコネクタも一般的に有する、又はパッド１０に形成されるリードも持つ。パッド１０の実施例は、アジレントテクノロジー社により製造されるHeartstreamパッド（部品番号：Ｍ３７１３Ａ）である。
【０００５】
使い捨てパッド１０の利点は、介護者が患者にこれらパッド１０を付着させることができ、その後、患者に触れることなく除細動のショックを加えることである。このハンズフリー能力は、除細動中に介護者がパッド１０を通る電気パルスによってショックを受ける、また他の方法ではこの電気パルスに曝される機会を減少させる。しかしながら、パッド１０は、使用するのが高価であり、患者の状態をより良く判断するために、介護者が患者のＥＣＧのクイックルックを行うことができないという欠点を有する。クイックルックは通常、患者の脈拍又は状態のクイックリーディングを得るために、介護者が患者と一時的又は短縮されて接続するときである。特に、介護者が患者の状態をチェックするためにパッド１０を使用したい場合、これらパッド１０は、ヒドロゲルを乾燥及び汚れさせ、これらパッドをそれ以上の使用には適さなくさせる保護的なパッケージング（図示せず）から取り除かれなければならない。
【０００６】
【発明が解決しようとする課題】
図２Ａ及び２Ｂは、図１に示されるパッド１０の代わりに用いられる２つのパッドの１つである従来の再利用パッド２０を示す。これらパドル２０は、患者の既定位置にパドル２０を置き、保っておくために、介護者が握るハンドル２２と、除細動のショックが与えられるのに通る導体プレート２４とを含む。乾燥肌又は患者に関する他の要因により生じるインピーダンスを減少させるために、例えばゲルのような導電媒体２６は通常、導電プレート２４上に置かれる。パドル２０を用いる利点は、これらパッドが再利用できることである。例えば、同じ組のパドル２０は、使用後に導電媒体２６が取り除かれ、これらパドル２０が汚れを落とし、きれいにされる限り、再び使用されることができる。しかしながら、パドル２０は、除細動を施すために、介護者がパドル２０を患者に押しつけなければならないという欠点がある。介護者を患者のすぐ近くにいさせることにより、介護者は、除細動中にショックの危険性に曝される。加えて、導電媒体２６の使用は、パドル及び患者の両方に汚れを生じ、介護者にショックの機会を増やし、パドル２０がきれいになる及び汚れを落とすことを難しくさせる。更に、パドル２０は、パッド１０に比べかなり大きく且つ重い。最後に、パドル２０は患者に取り付けられず、患者２０は、ＥＣＧモニタリングの使用、外部の心臓ページング、ペーシングが行われる電気的除細動、又はこれら機能が電極に拡張された接触となり、患者とのモーションフリーの関係となることを要求するので、ショックが与えられるときを示す自動的なＥＣＧ解釈アルゴリズムの除細動（自動的な外部除細動）に対しては実用的ではない。再利用パドル２０の一例は、アジレントテクノロジー社により製造される部品番号Ｍ４７４６Ａである。モニタリング機能を持つ除細動器１と共にパッド１０及びパドル２０の使用及び置換に関する追加の情報に対し、アジレント社のＭ４７３５ＡであるHeartstream XL 除細動器／モニターユーザーズガイド（Edition 1, September，2000）が参照され、これは参照することによりこれに含まれるとする。
【０００７】
【課題を解決するための手段】
本発明の実施例によれば、除細動器と共に使用するパドルは、アプリケータと、このアプリケータに電気的に接続され、ここに脱着可能でケース封じされる導電媒体を持つパッド部と、前記アプリケータ又はパッド部の一方に電気的に接続される電気接触部を含み、この電気接触部は、導電媒体がパッド部においてケース封じされている間、曝されている。
【０００８】
本発明の他の実施例によれば、除細動器と共に使用するパドルを形成するために、粘着性パッドと共に使用するアプリケータは、下部を持つ主基体、この主基体を患者と主基体と除細動器との間にある一次電気パスに沿って粘着性パッドに電気的且つ機械的に取り付けるための前記下部上のコネクタ、主基体に取り付けられるハンドル、及び患者と主基体と除細動器との間にある二次電気パスを形成するために、前記主基体に取り付けられる電気接触部を含む。
【０００９】
本発明の更に他の実施例によれば、除細動器と共に使用するパドルを形成するために、アプリケータと共に使用するパッド部は、上部を持つバッキング、このアプリケータに対し機械的且つ電気的な接続を形成するために、前記上部に取り付けられるコネクタ、前記下部に取り付けられる導電媒体、この導電媒体をケース封じするための蓋、及び導電媒体が蓋によりケース封じするとき、電気パスをアプリケータに提供するために、前記蓋に配される電気接触部を含む。
【００１０】
本発明の更に他の実施例によれば、除細動器と共にパドルを使用する方法は、このパドルを形成するために、蓋によりケース封じされる導電媒体を持つパッド部をアプリケータ部分に取り付けるステップ、蓋又はアプリケータに置かれる電気接触部を用いて、除細動器と患者との間に電気パスを形成することによって、患者の状態を判断するステップ、及び除細動器と患者との間に他の電気パスを形成するために、パドルを患者に接続するための蓋を取り除くステップを含む。
【００１１】
本発明の他の実施例によれば、除細動器と共に使用するパドルは、患者の湾曲に合わせるフレキシブルプレート、このフレキシブルプレートの上部に取り付けられるハンドル、及びフレキシブルプレートの下部に置かれるアプリケータコネクタを持つアプリケータと、フレキシブルプレートにより成型されるフレキシブルバッキング、アプリケーションコネクタと電気的且つ機械的な接続を形成するために、フレキシブルバッキングの上部に置かれるパッド部コネクタ、このフレキシブルバッキングに取り付けられる蓋、及びフレキシブルバッキングの下部に取り付けられ、蓋により脱着可能でケース封じされる粘着性導電媒体を持つ、アプリケータに電気的に接続されるパッド部と、パッド部に電気的に接続される蓋に置かれる電気接触部を含み、この電気接触部は、粘着性導電媒体がこの導電媒体を介し前記アプリケータへ信号を送るように、前記パッド部においてケース封じされる間、曝される。
【００１２】
本発明の更に他の実施例によれば、除細動器と共に使用するパドルは、患者の湾曲に合わせるフレキシブルプレート、このフレキシブルプレートの上部に取り付けられるハンドル、及びフレキシブルプレートの下部に置かれるアプリケータコネクタと、フレキシブルプレートにより成型されるフレキシブルバッキング、アプリケーションコネクタと電気的且つ機械的な接続を形成するために、フレキシブルバッキングの上部に置かれるパッド部コネクタ、このフレキシブルバッキングの下部に取り付けられ、粘着層とフレキシブルバッキングとの間に置かれるフレキシブル導体を有し、バッグにより脱着可能でケース封じされるように成型される粘着性導電媒体と、パッド部が前記アプリケータに接続されない間、除細動器とアプリケータとの間の追加の電気パスを形成するように、アプリケータコネクタに隣接するフレキシブルプレートに置かれる電気接触部とを含む。
【００１３】
本発明の更に他の実施例によれば、除細動器と共に使用するパドルは、患者の湾曲に合わせるフレキシブルプレート、このフレキシブルプレートの上部に取り付けられるハンドル、及びフレキシブルプレートの下部に置かれるアプリケータコネクタと、フレキシブルプレートにより成型されるフレキシブルバッキング、アプリケーションコネクタと電気的且つ機械的な接続を形成するために、フレキシブルバッキングの上部に置かれるパッド部コネクタ、フレキシブルバッキングの下部に取り付けられ、粘着層とフレキシブルバッキングとの間に置かれるフレキシブル導体及びこれを脱着可能でケース封じする層を有する粘着性導電媒体と、粘着性導電媒体が前記層によりケース封じされる間、除細動器とアプリケータとの間の追加の電気パスを形成するように、ハンドルを調節するフレキシブルプレートに置かれる電気接触部とを含む。
【００１４】
本発明のこれら及び他の目的並びに利点は、添付される図面と共に行われる好ましい実施例の以下の記載から明白となり、容易に理解されるであろう。
【００１５】
【発明の実施の形態】
本発明の好ましい実施例に詳細に言及され、これら実施例は、添付される図面に説明され、この図において、同じ参照番号は、どこでも同じ要素を述べている。これら実施例は、前記図面を引用することにより本発明を説明するために、以下に記載される。
【００１６】
図３は、本発明の実施例によるハンズフリーパドルを示す。このハンズフリーパドルは、再利用部分１００及びパッド２００を含んでいる。この再利用部分１００は、ハンドル１１０、アプリケータプレート１２０及びハンドル１１０内にあるコネクタ差込口１３０を含む。このハンドル１１０は、アプリケータプレート１２０に脱着可能又は恒久的に取り付けられることができる。
【００１７】
再利用部分１００は、例えばアジレントテクノロジー社により製造されるＭ４７４６Ａの外部パドルのような従来のパドル２０に用いられるのと同じ材料で作られることができる。
【００１８】
パッド２００はコネクタ２１０を含み、このコネクタ２１０は、再利用部分１００を介してパッド２００を除細動器（図示せず）に電気的且つ機械的の両方で接続するために、コネクタ差込口１３０によって収容される。コネクタ２１０は、プレート２１５の上部に取り付けられる。導電媒体２２０は、前記プレート２１５の下部に置かれる。この導電媒体２２０は、アジレントテクノロジー社により製造されるHeartstreamパッド（部品番号Ｍ３７１３Ａ）のような使い捨てパッド１０に用いられるのと同じフレキシブル導体２２５及びヒドロゲル接着剤２２７の両方を含む。フレキシブル導体２２５は、このヒドロゲル接着剤２２７とプレート２１５との間に挟まれている。例えば使用されるとき、再利用部分１００は、除細動のショックが導電媒体２２０を介して患者に与えられることを可能にするパッド２００に接続される。その上、導電媒体２２０の粘着性質は、除細動を提供することに加え、介護者に心電計（ＥＣＧ）モニタリング、外部の心臓ペーシング及び電気的除細動(cardioversion)を提供することを可能にするように、患者との広域な接触及びモーションフリーの関係を考慮する。
【００１９】
示されていないが、導電媒体２２０は、例えばハンズフリーの操作が必要とされないときのように、全ての場合において粘着性を持つ必要はなく、接着剤２２７は、例えばハンズフリーの操作を遂行するために、接着剤が後で供給される又は必要とされないときのように、全ての場合において常に必要とされるわけではないと理解される。
【００２０】
前記導電媒体２２０が乾燥する及び使用前に汚れること防ぐために、蓋２３０は、この導電媒体２２０をケース封じしている。この蓋２３０は、前記導電媒体２２０をケース封じするために、この蓋２３０とプレート２１５との間に置かれるシール２５０を含む。蓋２３０は半導電性であり、蓋２３０の下部に取り付けられるクイックルック接触部２４０を含む。このクイックルック接触部２４０は、蓋２３０及び導電媒体２２０を介してコネクタ２１０と電気的に接続されている。クイックルック接触部２４０は蓋２３０の外側にあるので、介護者は、パッド２００を捨てることを命令するために、蓋２３０を取り除かず、及び導電媒体２２０を曝すことなく、クイックルックＥＣＧリーディングを得ることができる。例えば、クイックルック接触部２４０は、患者と再利用部分１００と除細動器との間に第２の電気パスを形成する。
【００２１】
使用時には、介護者は、リード（図示せず）を用いて、ハンズフリーパドルを除細動器に接続し、コネクタ２１０をコネクタ差込口１３０に挿入することによって、前記パッド２００を再利用部分１００に接続する。示されてないが、コネクタ２１０がハンドル１１０上に置かれると共に、コネクタ差込口１３０は、プレート２１５に置かれると一般的に理解される。
【００２２】
一旦接続されると、介護者は、患者の状態のクイックルックが保証されるかを決めることができる。クイックルックを行うために、介護者は、脈拍を得るために、患者との一時的且つ簡潔な接触を行う。上記クイックルックが保証される場合、介護者は、所望のリーディングを得るために、クイックルック接触部２４０を患者に当てる。かなり堅いように示されているが、蓋２３０が導電媒体２２０に恒久的に付着しない限り、この蓋２３０はフレキシブルであることが可能であると理解される。その上、クイックルックが行われ、ハンズフリーパドルを他に使用することが必要とされない場合、蓋２３０が図１に示される従来のパッド１０のように処分されずにきれいに取り除かれるように、蓋２３０はきれいに取り除かれることが可能である。
【００２３】
除細動治療が必要とされる、又は患者に対して動かない電極がモニタリングに必要とされる場合、蓋２３０は、導電媒体２２０を曝させるために取り除かれる。ハンズフリーパドルはその後、患者に付着され、これは、介護者がもはやハンズフリーパドルに触れないことを可能にする。このハンズフリーパドルを患者に上手く付着させるために、アプリケータプレート１２０は、幾分堅くすべきであるが、患者と接触している導電媒体２２０の量を増大させるために、患者の身体の形状と一致させることを可能にする必要がある。これによって、アプリケータプレート１２０は、堅く且つ曲げることができる、又は示されるように、介護者にハンズフリーパドルで患者の形状を作ることを可能にするためのパッドが付いた部分のようにフレキシブル又はフレキシブルな部分を有する。このようにして、介護者は、均一に導電媒体２２０を患者に付着するためにアプリケータプレート１２０を使用する。
【００２４】
使用後、パッド２００は、患者から取り除かれ、処分される。再利用部分１００はきれいにされるが、他では必要とされる新しいパッド２００に接続されることがすぐに可能である。
【００２５】
図４は、本発明の他の実施例によるハンズフリーパドルを示し、ここでは、再利用部分３００は、図３に示されるアプリケータプレート１２０と比較して、かなり堅い、厚いアプリケータプレート３２０を持つ。再利用部分３００もまたアプリケータプレート３２０に接続されるハンドル３１０と、図３に示されるパッド２００のコネクタ２１０に取り付けるためのアプリケータプレート３２０内にあるコネクタ差込口３３０とを有する。この厚いアプリケータプレート３２０もまた患者の形状に上手く一致するように折り曲げ可能な部分を含むことができる。ハンドル３１０は、アプリケータプレート３２０に脱着可能又は恒久的に取り付けられることができる。
【００２６】
図５は、本発明の更に他の実施例によるハンズフリーパドルを示す。再利用部分３０００は、アプリケータプレート３１００のほぼ前面まで延在するハンドル３３００を含む。このハンドル３３００は、アプリケータプレート３１００に脱着可能又は恒久的に取り付けられることができる。クイックルック接触部３４００は、アプリケータプレート３１００の前面に置かれる。例えば、患者の状態に関するクイックルックを行うために、パッド２０００は、図３に示されるパッド２００が行うような、再利用部分３０００に接続される必要はない。代わりに、クイックルック以上の治療が提供される場合、パッド２０００は再利用部分３０００に接続されることだけを必要とする。再利用部分３０００は、コネクタ２１００及びコネクタ差込口３２００を用いてパッド２０００に接続され、これが再利用部分３０００とパッド２０００との間に電気的且つ機械的な接続を提供する。
【００２７】
コネクタ２１００は、プレート２１５０の上部に取り付けられる。フレキシブル導体及び粘着性ヒドロゲルを含む導電媒体２２００は、プレート２１５０の背面に置かれる。蓋２３００は、シール２４００を用いてプレート２１５０に接続される。このようにして、導電媒体２２００は乾くことはなく、そうしなければ、使用前に曝す（すなわち、蓋２３００が取り除かれる）ことによってその粘着特性を失ってしまう。
【００２８】
示されてないが、図３に示されるパッド２００は、クイックルック接触部３４００に加え、第２のクイックルック接触部２４０を設けることで、再利用部分３０００に接続されることができると理解される。
【００２９】
図４及び図５に示される本発明の実施例と比較して、パッド２０００は、パッド２００のようにクイックルックを提供するのに使用されないため、蓋２３００は、例えば図４及び図５に新されるクイックルック接触部２４０のような、導電媒体２２００に電気的に接続される一体化した導電エリアを必要しない。これによって、蓋２３００は、図３及び図４に示される蓋２３０のように、半導体である必要はない。
【００３０】
図６は、本発明の他の実施例によるハンズフリーパドルを示す。再利用部分５０００は、アプリケータプレート５３００に脱着可能又は恒久的に接続されるハンドル５１００を含む。コネクタ差込口５２００は、ハンドル５１００内に設けられる。クイックルック接触部５４００は、ハンドル５１００の下に設けられ、コネクタ差込口５２００に隣接している。このようにして、介護者がＥＣＧを得るためにクイックルックを行う必要がある場合、再利用部分５０００は単独で使用されることができる。
【００３１】
追加のモニタリング又は治療の機能は、受動リーディングを患者から得る又は患者に電気を注入することを要求される場合、パッド４０００は、コネクタ差込口５２００に接続するコネクタ４２００を用いて、再利用部分５０００に接続される。コネクタ４２００は、プレート４１５０の上部に取り付けられ、導電媒体４１００は、プレート４１５０の下部に取り付けられる。導電媒体４１００は、フレキシブル導体及びヒドロゲル接着剤を含む。導電媒体４１００、プレート４１５０及びコネクタ４２００は、導電媒体４１００を乾燥から、そうしなければ粘着特性を失ってしまうことを防ぐために、バッグ４３００内に封止される。このバッグ４３００を用いることにより、パッド４０００は通常、バッグ４３００を取り除かずに再利用部分５０００には接続されない。しかしながら、バッグ４３００は、パッド４０００を再利用部分５０００に取り付ける前に取り除かれる必要は無いと通常は理解される。それ程複雑ではない構造を用いることにより、図３及び図５に示されるパッド２００及び２０００で見られるよりも、製造コストは更に減少する。
【００３２】
示されていないが、バッグ４３００は、導電媒体４１００をケース封じすることだけを必要とすると理解される。
【００３３】
本発明のハンズフリーパドルによれば、介護者は、患者の状態を判断するためのクイックルックを得ることができ、付随する制限の無い従来のパドルとパッドとの利点を結合するために、患者にハンズフリーの除細動治療を施すこともできる。加えて、除細動器からのリードが再利用部分に取り付けられるので、パッドに対する製造コストは、パッドに対する製造コストと比べ減少し、ケース封じされた従来のパッドを検査するのに必要とされる機械と比較して、ケース封じされる間にパッド内の導電媒体を検査するための簡単な機械を設ける利点も有する。
【００３４】
その上、本発明によるハンズフリーパドルは、パッドによって患者に取り付けられるので、このハンズフリーパドルは、再利用可能な事前に接続された要素を未だ持っている間、除細動を含む心臓除細動器、ＥＣＧモニタリング、外部の心臓ペーシング及び電気的除細動の４つの基本機能を行うことができる。同時にハンズフリーパドルは、きれいにする及び汚れを落とすことを容易にして、従来のパドルよりもかなり小さく且つ軽くなる。
【００３５】
本発明の数個の好ましい実施例が示され、説明されたとしても、当業者によって、本発明の原理及び趣旨から逸脱することなく本実施例を変更してもよく、本発明の範囲は、特許請求の範囲及びそれと同等のものにおいて既定されることは明らかである。
【図面の簡単な説明】
【図１】使い捨てパッドを用いた従来の除細動システム。
【図２Ａ】図１の除細動器で使用する従来の再利用パドルの概略図。
【図２Ｂ】図１の除細動器で使用する従来の再利用パドルの底面図。
【図３】本発明の実施例によるハンズフリーパドルの断面図。
【図４】本発明の他の実施例によるハンズフリーパドルの断面図。
【図５】本発明の更に他の実施例によるハンドル及び再利用部分におけるクイックルック接触部を持つハンズフリーパドルの断面図。
【図６】本発明の更に他の実施例によるバッグに封止されるパッドを使用する再利用部分におけるクイックルック接触部を持つハンズフリーパドルの断面図。
【図１】
2005508672.tif 000003
【図２Ａ】
2005508672.tif 000004
【図２Ｂ】
2005508672.tif 000005
【図３】
2005508672.tif 000006
【図４】
2005508672.tif 000007
【図５】
2005508672.tif 000008
【図６】
2005508672.tif 000009
【国際調査報告】
2005508672.tif 000010
2005508672.tif 000011
2005508672.tif 000012
2005508672.tif 000013